(57)【要約】【課題】本発明は、製造コストを増大させることなく、バックライトの点灯制御が可能な携帯端末を提供する。【解決手段】発光ダイオードを、機器の動作状態を知らせるランプ若しくは夜間における筐体表面の視認性を高めるランプとして用いた携帯端末であって、前記発光ダイオードを、外来光に応じて起電力を発生する光センサーとして兼用し、発生した起電力に基いて前記携帯端末に備わっているディスプレイのバックライトの点灯を制御することを特徴とする。【選択図】図４
2004007237.tif 000002
【特許請求の範囲】
【請求項１】
発光ダイオードを、機器の動作状態を知らせるランプ若しくは夜間における筐体表面の視認性を高めるランプとして用いた携帯端末であって、前記発光ダイオードを、外来光に応じて起電力を発生する光センサーとして兼用し、発生した起電力に基いて前記携帯端末に備わっているディスプレイのバックライトの点灯を制御することを特徴とする携帯端末。
【請求項２】
前記ランプは、着信時に発光する着信ランプであり、前記発光ダイオードは、非着信の状態にある時に光センサーとして用いられることを特徴とする請求項１記載の携帯端末。
【請求項３】
前記携帯端末は、起電力が所定の閾値よりも小さい場合に、前記ディスプレイのバックライトを点灯させ、小さくない場合に当該バックライトの点灯を抑止する
ことを特徴とする請求項１又は２記載の携帯端末。
【請求項４】
前記ランプは、操作部若しくは前記ディスプレイの何れかのバックライトである
ことを特徴とする請求項１記載の携帯端末。
【請求項５】
前記携帯端末は、発生した起電力が所定の閾値よりも小さい場合に、前記ディスプレイのバックライトを点灯させ、小さくない場合に前記ディスプレイのバックライトの点灯を抑止する
ことを特徴とする請求項４記載の携帯端末。
【請求項６】
前記携帯端末はさらに、発生した起電力が所定の閾値よりも小さい場合に、前記操作部のバックライトを点灯させ、小さくない場合に当該バックライトの点灯を抑止する
ことを特徴とする請求項５記載の携帯端末。
【発明の詳細な説明】
【０００１】
【発明の属する技術分野】
本発明は、携帯端末に関し、特に表示パネルやテンキー等を照明する装置の点灯を制御するための光センサーを備えた携帯端末に関する。
【０００２】
【従来の技術】
従来、携帯電話機には、暗所でも表示部やテンキー部が視認できるように、表示部やテンキー部を照らすバックライトが備えられている。これらの携帯電話機においては、テンキー部のボタンが押されると、昼夜を問わず操作するのに十分明るい場所でも、バックライトが点灯するように構成されているため、バックライト点灯による携帯電話機の電池の消耗が問題となっていた。
【０００３】
この問題を解消するため、最近では、光センサーを備えた携帯電話機が利用されるようになってきている。この光センサーを備えた携帯電話機においては、周囲の明るさのレベルが光センサーによって検出され、検出した周囲の明るさのレベルに応じてバックライトを点灯するかしないかの制御が行われるので、キー操作するのに十分明るい場合にはバックライトを点灯させないようにすることにより、携帯電話機の電池の消耗を防ぐことができる。
【０００４】
【発明が解決しようとする課題】
しかしながら、バックライトの点灯制御を行うためには、携帯電話機に周囲の明るさを検知するための専用の光センサーを新たに設ける必要があり、製造コストが増大する要因となる。
そこで、本発明は、製造コストを増大させることなく、バックライトの点灯制御が可能な携帯端末を提供することを目的とする。
【０００５】
【課題を解決するための手段】
上記課題を解決するため、本発明の携帯端末は、発光ダイオードを、機器の動作状態を知らせるランプ若しくは夜間における筐体表面の視認性を高めるランプとして用いた携帯端末であって、前記発光ダイオードを、外来光に応じて起電力を発生する光センサーとして兼用し、発生した起電力に基いて前記携帯端末に備わっているディスプレイのバックライトの点灯を制御することを特徴とする
【０００６】
【発明の実施の形態】
図１は、本実施の形態における携帯端末１の外観図を示す。携帯端末１は、ディスプレイ１１、操作部１２、ＬＥＤ表示部１３、マイク１４、レシーバー１５、アンテナ１６を含む。
ここで、「携帯端末」とは、携帯電話機、ＰＨＳ、ＰＤＡ（Ｐｅｒｓｏｎａｌ　ｄｉｇｉｔａｌ
Ａｓｓｉｓｔａｎｔ）等の携帯用の通信端末のことをいう。
【０００７】
図２は、携帯端末１の構成を示す機能ブロック図である。図に示す通り、携帯端末１は、アンテナ１６、送受信部２２、変復調部２３、制御部２４、ディスプレイ１１、操作部１２、ＬＥＤ表示部１３、マイク１４、レシーバ１５、記憶部２６、第１バックライト部２７、第２バックライト部２８、第３バックライト部２９から構成される。
【０００８】
アンテナ１６は、通信電波を送受信する。
送受信部２２は、通信電波として通信するための通信データの送受信を行う。ここで、「通信データ」とは、通話の音声データ、文字情報、画像データ、通信制御のために用いられる制御データ（呼出側の電話番号等の音声通信の着信情報、ＳＭＳベアラー（ショート・メッセージ・ベアラー）という方式によって送信されてくる電子メールおよび文字メッセージの着信情報など）などのことをいう。
【０００９】
変復調部２３は、制御部２４から入力された通信データを変調して送受信部２２に出力する。又、送受信部２２から入力された通信データを復調し、制御部２４に出力する。
制御部２４は、例えばマイクロプロセッサとＲＯＭ（Ｒｅａｄ　Ｏｎｌｙ　Ｍｅｍｏｒｙ）及びＲＡＭ（Ｒａｎｄｏｍ　Ａｃｃｅｓｓ　Ｍｅｍｏｒｙ）、起電力を測定するＡ／Ｄコンバータなどから構成され、ＲＯＭに格納されている制御プログラムに従って、バックライトの点灯制御等の制御を行う。
【００１０】
具体的には、ＬＥＤ表示部１３から入力される起電力を測定し、測定した起電力が記憶部２６に記憶されている電圧の閾値よりも小さい場合に、第２及び第３バックライト部のバックライトを点灯させ、小さくない場合に、第２及び第３バックライトが点灯しないように制御する。
又、制御部２４は、変復調部２３から入力された通信データに着信信号が含まれていると、ＬＥＤ表示部１３の後述するＬＥＤドライバ部３０のトランジスタのスイッチをＯＮにし、第１バックライト部２７の第１バックライトであるＬＥＤに電流を流し、発光させることにより、第１バックライトを点灯させる。
【００１１】
制御部２４は、上記の機能に加え、変復調部２３から入力された通信データに含まれる音声データを音声信号に変換し、レシーバ１５に出力し、又、マイク１４から入力された音声を音声信号に変換し、通信データとして変復調部２３に出力する。
ディスプレイ１１は、カラー液晶表示装置等から構成され、着信履歴等の通知すべき情報、電子メールや電話帳データ等の文字情報、現在時刻情報等を表示する。
【００１２】
操作部１２は、テンキー等各種の入力キーを有し、入力―キーの入力を介してユーザーからの指示（例えば、通話開始指示）を受け付け、受け付けた指示を入力信号（例えば、通話開始信号）として制御部２４に出力する。
ＬＥＤ表示部１３は、表示窓とＬＥＤドライバ部３０を有し、第１バックライトを点灯するためのスイッチをＯＮ／ＯＦＦする。
【００１３】
なお、第１バックライトであるＬＥＤを直接、筐体表面上（例えば、図１の１３の位置）に設置し、表示窓を設けないこととしてもよい。
図３は、ＬＥＤドライバ部３０の有する回路構成の１例を示す図である。図３において、Ｒ１、Ｒ２は抵抗器を示し、Ｔｒは、フォトトランジスタを示し、制御部２４から出力される電気信号により、スイッチのＯＮ／ＯＦＦが切り替えられる。ＶＣＣは、直流電源を示し、ＬＥＤは、発光ダイオードを示す。ＴｒのスイッチがＯＦＦの時に、ＬＥＤを構成するＰ型半導体とＮ型半導体の接合面に光が当たると、光の量に応じた起電力が発生し、発生した起電力は、制御部２４のＡ／Ｄコンバータ３１によって測定される。
【００１４】
マイク１４は、入力された音声を制御部２４に出力する。
レシーバ１５は、制御部２４から入力された音声信号から音声を再生する。
記憶部２６は、バックライトの点灯制御に使用する、携帯端末１の製造者により予め設定された電圧の閾値を記憶している。
第１バックライト部２７は、光センサー及び第１バックライトとして機能するＬＥＤを含み、ＬＥＤドライバ部３０のスイッチがＯＦＦのとき、ＬＥＤ表示部１３から入光する光を検知すると、起電力を発生し、制御部２４が着信信号の入力を受けて、ＬＥＤドライバ部３０のスイッチをＯＮにすると、発光し、ＬＥＤ表示部１３に設けられた表示窓を照らす。
【００１５】
第２バックライト部２８は、制御部２４からの点灯指示に応じてディスプレイ１１を所定の時間照らす。
第３バックライト部２９は、制御部２４からの点灯指示に応じて操作部１２を所定の時間照らす。
次に制御部２４の行うバックライト点灯処理の動作について説明する。図４は、上記点灯処理の動作を示すフローチャートである。
【００１６】
制御部２４は、携帯端末１の電源がＯＮになると（ステップＳ１００１）、ＬＥＤドライバ部３０のスイッチをＯＦＦに設定し（ステップＳ１００２）、変復調部２３から着信信号が入力されたか否かを判定する（ステップＳ１００３）。
入力された場合（ステップＳ１００３：Ｙ）、制御部２４は、ＬＥＤドライバ部３０に電気信号を出力し、ＬＥＤドライバ部３０のスイッチをＯＮに切替え（ステップＳ１００４）、第１バックライト部２７のＬＥＤを発光させることにより、第１バックライトを点灯させる（ステップＳ１００６）。
【００１７】
着信信号が入力されない場合（ステップＳ１００３：Ｎ）、操作部１２から入力信号が入力されたか否かを判定し（ステップＳ１００７）、入力信号が入力された場合（ステップＳ１００７：Ｙ）、ＬＥＤが光を検知して発生する起電力をＡ／Ｄコンバータで測定することにより発生する起電力の監視を行い（ステップＳ１００８）、発生している起電力が記憶部２６に記憶されている電圧の閾値より小さいか否かを判定し（ステップＳ１００９）、小さい場合（ステップＳ１００９：Ｙ）、第２バックライト部２８と第３バックライト部２９に点灯指示信号を出力し、バックライトを点灯させる（ステップＳ１０１０）。
【００１８】
これにより、明るさが充分である場合に、バックライトが点灯することによる電池の消耗を少なくし、又、着信を知らせるＬＥＤ表示部のＬＥＤを光センサーとしても活用することにより、製造コストを軽減することができる。
以上、本発明に係る携帯端末について、実施の形態に基づいて説明したが、本発明はこれら実施の形態に限られないことは勿論である。
【００１９】
例えば、本実施の形態においては、ＬＥＤ表示部を照らす第１バックライト部２７のＬＥＤを光センサーとして使用したが、第２バックライト部２８、第３バックライト部２９の何れかのバックライトをＬＥＤとし、本実施の形態の場合と同様にして、光センサーとして使用することとしてもよい。
上記において、第２バックライト部、第３バックライト部の何れか又は両方にＬＥＤドライバ部３０を含めることにより、本実施の形態の場合と同様のバックライト点灯制御を実現することができる。この場合に、制御部２４の行うバックライト点灯処理の動作を示すフローチャートを図５に示す。図５において、図４のフローチャートと同一の処理については、同一のステップ番号を付している。以下、図４のフローチャートの動作と相違する処理を中心に説明する。図５のステップＳ１００９において、起電力が記憶部２６に記憶されている電圧の閾値より小さい場合（ステップＳ１００９：Ｙ）、
ＬＥＤドライバ部３０に電気信号を出力し、ＬＥＤドライバ部３０のスイッチをＯＮに切替え（ステップＳ１１０１）、第２バックライト部２８（又は第３バックライト部２９）のＬＥＤを発光させることにより、第２バックライト（又は第３バックライト）を点灯させる（ステップＳ１１０２）。
【００２０】
【発明の効果】
本発明は、発光ダイオードを、機器の動作状態を知らせるランプ若しくは夜間における筐体表面の視認性を高めるランプとして用いた携帯端末であって、前記発光ダイオードを、外来光に応じて起電力を発生する光センサーとして兼用し、発生した起電力に基いて前記携帯端末に備わっているディスプレイのバックライトの点灯を制御するの構成を備える。
【００２１】
これにより、発光ダイオードが発生する起電力によって携帯端末の周囲の明るさの程度を測定し、明るさが不十分な時にのみバックライトを点灯させることができるので、電池の消耗少なくすることができる。又、発光ダイオードは、着信ランプや夜間のキー操作時における操作部やディスプレイの視認性を高めるバックライトとしても兼用できるので、バックライトの点灯制御を行うために専用の光センサーを設ける必要がなくなり、その分製造コストを少なくすることができる。
【００２２】
ここで、前記ランプは、着信時に発光する着信ランプであり、前記発光ダイオードは、非着信の状態にある時に光センサーとして用いられることとしてもよい。
また、前記携帯端末は、起電力が所定の閾値よりも小さい場合に、前記ディスプレイのバックライトを点灯させ、小さくない場合に当該バックライトの点灯を抑止することとしてもよい。
【００２３】
これにより、非着信時に未使用の状態になっている着信ランプを光センサーとして有効活用することができるので、コストパーフォーマンスが高いバックライト点灯制御機能を備えた携帯端末を提供することができる。
ここで、前記ランプは、操作部若しくは前記ディスプレイの何れかのバックライトであることとしてもよい。
【００２４】
又、前記携帯端末は、発生した起電力が所定の閾値よりも小さい場合に、前記ディスプレイのバックライトを点灯させ、小さくない場合に前記ディスプレイのバックライトの点灯を抑止することとしてもよい。
又、前記携帯端末はさらに、発生した起電力が所定の閾値よりも小さい場合に、前記操作部のバックライトを点灯させ、小さくない場合に当該バックライトの点灯を抑止することとしてもよい。
【００２５】
これにより、ディスプレイ又は操作部を照らすバックライトを、光センサーと照明装置の２つの用途に使用することができるので、コストパーフォーマンスの高いバックライト点灯制御機能を備えた携帯端末を提供することができる。
【図面の簡単な説明】
【図１】本実施形態における携帯端末１の外観図を示す。
【図２】携帯端末１の構成を示す機能ブロック図である。
【図３】ＬＥＤドライバ部３０の有する回路構成の１例を示す図である。
【図４】制御部２４の行うバックライト点灯処理の動作を示すフローチャートである。
【図５】第２バックライト部２８、第３バックライト部２９の何れかのバックライトをＬＥＤとし、光センサーとした場合における制御部２４の行うバックライト点灯処理の動作を示すフローチャートである。
【符号の説明】
１　　携帯端末
１１　　ディスプレイ
１２　　操作部
１３　　ＬＥＤ表示部
１４　　マイク
１５　　レシーバ
１６　　アンテナ
２２　　送受信部
２３　　変復調部
２４　　制御部
２５　　レシーバ
２６　　記憶部
２７　　第１バックライト部
２８　　第２バックライト部
２９　　第３バックライト部
３０　　ＬＥＤドライバ部
３１　　Ａ／Ｄコンバータ
【図１】
2004007237.tif 000003
【図２】
2004007237.tif 000004
【図３】
2004007237.tif 000005
【図４】
2004007237.tif 000006
【図５】
2004007237.tif 000007